(57)【特許請求の範囲】
【請求項１】
ナビゲーション機能に必須なプログラムと地図情報とが記録されている第１記録領域と、使用者毎に固有の追加情報を記録する第２記録領域と、を備えた第１記録媒体を備え、前記プログラム、前記地図情報及び前記追加情報に基づいて動作するナビゲーション装置において、
前記第１記録媒体が前記ナビゲーション装置に接続されている間において、前記追加情報を記録可能な第４記録領域を備える第２記録媒体が前記ナビゲーション装置に接続されたことを検出する検出手段と、
前記第２記録媒体の接続が検出された場合、予め設定されたタイミングにおいて、前記第１記録媒体の前記追加情報を前記第４記録領域に記録する記録手段と、
を備える特徴とするナビゲーション装置。
【請求項２】
請求項１に記載のナビゲーション装置において、
前記第２記録媒体は前記ナビゲーション機能を更新するための更新プログラム及び更新地図情報が記録された第３記録領域を更に備え、
前記第２記録媒体の接続が検出された場合、前記記録されている更新プログラム及び更新地図情報と、前記追加情報と、に基づいて前記ナビゲーション装置を起動させる起動手段を更に備えることを特徴とするナビゲーション装置。
【請求項３】
請求項１又は２に記載のナビゲーション装置において、
前記予め設定されたタイミングは、
前記第２記録媒体の前記ナビゲーション装置への接続が検出されたタイミング、
前記第１記録媒体が前記ナビゲーション装置から取り外される直前のタイミング、
前記使用者が指定したタイミング、又は、
前記第２記録領域における空き領域の情報量が前記追加情報の情報量に到達する前のいずれかのタイミング、
のいずれかであることを特徴とするナビゲーション装置。
【発明の詳細な説明】
【０００１】
【発明の属する技術分野】
本発明は、情報処理装置及び情報処理用プログラムがコンピュータで読取可能に記録された情報記録媒体の技術分野に属し、より詳細には、複数の記録媒体間で情報の授受を行いつつ情報処理を行う情報処理装置及び当該情報処理のための情報処理用プログラムがコンピュータで読取可能に記録された情報記録媒体の技術分野に属する。
【０００２】
【従来の技術】
従来、例えば車両の移動を補助するためのナビゲーション装置等の情報処理装置においては、光ディスク等の記録媒体に記録されている地図情報等の情報を活用してその装置の種類毎に予め定められているナビゲーション処理等の情報処理を実行する構成となっている。
【０００３】
ここで、上述したようなナビゲーション装置等においては、その記録媒体としては再生専用の光ディスクが用いられることが通常であったが、近年のこれらナビゲーション装置等の多機能化により、当該光ディスクに対して使用者自らが所望する情報（例えば、ナビゲーション処理に必要な諸情報の他に、使用者が聴取を所望する（ナビゲーション処理とは無関係の）音楽情報等）を書き込むことが要求される場合が多くなってきた。
【０００４】
また、従来の光ディスクでは、所望する情報が記録されている当該光ディスク上の位置に検出用のピックアップを移動させてから検出を開始するまでにある程度の時間を必要としたため、高速移動中における情報の迅速な取得等の要請から、より高速に所望する情報を検出できる記録媒体が求められるようになった。
【０００５】
そこで、近年、ナビゲーション装置に含まれる記録媒体として、大記録容量で書き込み可能且つ高速な検索が可能ないわゆるハードディスクを用いることについての研究が盛んになりつつある。
【０００６】
このとき、一般には、一つのナビゲーション装置等に対しては二以上のハードディスクを接続し、これらを相互に識別して情報の授受を行いつつナビゲーション処理等を行う場合が多い。
【０００７】
一方、上述したように使用者が記録媒体に記録することを所望する情報として具体的には、例えば、ナビゲーション処理の実行に伴うものとしては、頻繁に赴く特定の地点の位置、その特定点までの経路、或いは、よく利用する道路上の各信号における信号待ちの状態（切り換わりタイミング）等の情報が考えられる。
【０００８】
他方、上述したような使用者が記録することを所望する情報以外の元々記録媒体に記録されている情報としては、例えば道路配置を示した道路情報や道路上の交差点の名称、或いは一方通行情報等を含む地図情報等があるが、これらのうち特に道路情報或いは交差点の名称等については、新たな道路整備等に伴って更新されることが予定されている情報であると言える。
【０００９】
ここで、これらの情報を更新する手法としては種々の手法が考えられるが、一般には、複数の記録媒体を接続可能なようにナビゲーション装置を構成し、これら複数の記録媒体のうち元々の地図情報等が記録されていた方の記録媒体を、更新後の地図情報等が記録された新たな記録媒体に差し換える（交換する）ことで当該更新を行うのが簡易且つ確実な方法であると言える。
【００１０】
そして、この点をハードディスクを記録媒体として用いるナビゲーション装置に当て嵌めると、複数のハードディスクを差し換え可能に接続することができるようにナビゲーション装置を構成し、これら複数のハードディスクのうち元々の地図情報等が記録されていた方のハードディスクを、更新後の地図情報等が記録された新たなハードディスクに丸ごと差し換えることとなる。
【００１１】
【発明が解決しようとする課題】
しかしながら、上述したように、迅速な検索等の観点から使用者が作成した情報を地図情報等が記録されているハードディスクに当該地図情報と共に記録する場合には、そのハードディスクが差し換えられるとこれまでに使用者が作成した情報も同時に失われてしまうという問題点があった。
【００１２】
また、その使用者が作成した情報の情報量が多い場合には、ハードディスクの差し換えに当たってその情報を新たな更新用のハードディスクに複写するための労力も膨大なものとなってしまうという問題点もあった。
【００１３】
更に、これらの問題点は、結果として更新後の地図情報を用いたナビゲーション処理を迅速に開始することができなくなるという問題点に繋がるものである。
【００１４】
そこで、本発明は、上記の各問題点に鑑みて為されたもので、その課題は、地図情報等の特定情報の更新後においても、それまでに追加作成していた情報を消失したり或いは新たに作成し直したりすることなく直ちに情報処理を開始することが可能な情報処理装置及び当該情報処理のための情報処理用プログラムがコンピュータで読取可能に記録された情報記録媒体を提供することにある。
【００１５】
【課題を解決するための手段】
上記の課題を解決するために、請求項１に記載の発明は、ナビゲーション機能に必須なプログラムと地図情報とが記録されている第１記録領域と、使用者毎に固有の追加情報を記録する第２記録領域と、を備えた第１記録媒体を備え、前記プログラム、前記地図情報及び前記追加情報に基づいて動作するナビゲーション装置において、前記第１記録媒体が前記ナビゲーション装置に接続されている間において、前記追加情報を記録可能な第４記録領域を備える第２記録媒体が前記ナビゲーション装置に接続されたことを検出するシステム制御部等の検出手段と、前記第２記録媒体の接続が検出された場合、予め設定されたタイミングにおいて、前記第１記録媒体の前記追加情報を前記第４記録領域に記録するシステム制御部等の記録手段と、を備える。
【００１６】
よって、第２記録媒体の接続が検出されたとき、第１記録媒体の追加情報を第４記録領域に記録する、すなわち追加情報を移し替えるので、現状においてナビゲーション機能に必須なプログラムと地図情報とが記録されている第１記録媒体が当該プログラム及び地図情報の更新のために取り去られて新たな記録媒体に交換されたとしても、追加情報を失うことなく当該プログラム及び地図情報を更新することができる。
【００１７】
上記の課題を解決するために、請求項２に記載の発明は、請求項１に記載のナビゲーション装置において、前記第２記録媒体は前記ナビゲーション機能を更新するための更新プログラム及び更新地図情報が記録された第３記録領域を更に備え、前記第２記録媒体の接続が検出された場合、前記記録されている更新プログラム及び更新地図情報と、前記追加情報と、に基づいて前記ナビゲーション装置を起動させる起動手段を更に備える。
【００１８】
よって、第２記録媒体は更新プログラム及び更新地図情報が記録された第３記録領域を更に備え、第２記録媒体の接続が検出された場合、記録されている更新プログラム及び更新地図情報と、追加情報と、に基づいてナビゲーション装置を起動させる起動手段を更に備えるので、更新プログラム等を用いたナビゲーション機能を迅速に開始することができる。
【００１９】
上記の課題を解決するために、請求項３に記載の発明は、請求項１又は２に記載のナビゲーション装置において、前記予め設定されたタイミングは、前記第２記録媒体の前記ナビゲーション装置への接続が検出されたタイミング、前記第１記録媒体が前記ナビゲーション装置から取り外される直前のタイミング、前記使用者が指定したタイミング、又は、前記第２記録領域における空き領域の情報量が前記追加情報の情報量に到達する前のいずれかのタイミング、のいずれかであるように構成される。
【００２０】
よって、第１記録媒体の追加情報を第４記録領域に記録する予め設定されたタイミングが、第２記録媒体のナビゲーション装置への接続が検出されたタイミング、第１記録媒体がナビゲーション装置から取り外される直前のタイミング、使用者が指定したタイミング、又は、第２記録領域における空き領域の情報量が追加情報の情報量に到達する前のいずれかのタイミング、のいずれかであるので、多様なタイミングで柔軟且つ確実に追加情報を第４記録領域に移し換えることができる。
【００３１】
【発明の実施の形態】
次に、本発明に好適な実施の形態について、図面に基づいて説明する。
【００３２】
なお、以下に説明する実施の形態は、地図表示又は音声出力を行いつつ車両の走行を案内する車載用ナビゲーション装置（以下、単にナビゲーション装置と称する。）に対して本発明を適用した場合の実施の形態である。
【００３３】
先ず、実施形態に係るナビゲーション装置の全体構成及び概要動作について、図１を用いて説明する。
【００３４】
なお、図１は実施形態に係るナビゲーション装置の概要構成を示すブロック図である。
【００３５】
図１に示すように、実施形態に係るナビゲーション装置Ｓは、アンテナＡＴに接続されたＧＰＳ（Global  Positioning  System）受信部１０と、速度センサ部１１と、加速度センサ部１２と、記録媒体としての複数枚のハードディスクを含み、当該各ハードディスクに対して情報の読み書きを行う第１記録媒体としてのハードディスク記録再生部１３と、操作部１４と、表示部１５と、接続検出手段、開始設定手段及び形成手段としてのシステム制御部１６と、方位角センサ部１７と、音声案内部１８と、により構成されている。
【００３６】
なお、システム制御部１６に対しては、後述するようにハードディスク記録再生部１３に含まれている各ハードディスクに記録されている後述する地図情報等を更新した情報が記録されたハードディスクを複数枚含む第２記録媒体としての第２ハードディスク記録再生装置１３ａが接続可能とされている。
【００３７】
次に、概要動作を説明する。
【００３８】
初めに、ＧＰＳ受信部１０は、ＧＰＳに属する複数の人工衛星からの航法電波を、アンテナＡＴを介して受信して現在位置の擬似座標値を計算し、ＧＰＳデータとしてシステム制御部１６へ出力する。
【００３９】
一方、速度センサ部１１は車両の走行速度を感知し、その感知された速度をパルス又は電圧の形態を有する速度データに変換してシステム制御部１６に出力する。
【００４０】
また、方位角センサ部１７はいわゆるジャイロセンサにより構成され、車両の方位角、即ち車両が進行している進行方向を感知し、感知した方位角をパルス又は電圧の形態を有する方位角データに変換してシステム制御部１６に出力する。
【００４１】
更に、加速度センサ部１２は、重力加速度と車両の移動により発生する加速度とを比較することにより、上下方向の車両の移動状態を感知し、当該感知された移動状態を示す加速度データをパルス又は電圧の形態に変換してシステム制御部１６に出力する。
【００４２】
他方、ハードディスク記録再生部１３内のハードディスク（以下、当該ハードディスク記録再生部１３内の各ハードディスクを纏めて第１ハードディスクと称する。）には、道路地図等の地図情報及びその他の走行案内に必要なプログラム情報等が読み出し可能に記録されていることに加え、ナビゲーション装置Ｓを用いてナビゲーション処理を実行するに伴って必要となった追加情報であって当該ナビゲーション装置Ｓの使用者によりナビゲーション装置Ｓの車両への設置後に追加された追加情報（より具体的には、上述したように、その使用者が頻繁に赴く特定の地点の位置、その特定点までの経路、或いは、よく利用する道路上の各信号における信号待ちの状態（切り換わりタイミング）等のナビゲーション処理関連情報、並びに使用者が聴取を所望する（ナビゲーション処理とは無関係の）音楽情報等）が記録されている。
【００４３】
このとき、当該地図情報等は、現実の道路事情の変更に伴って、定期的に（例えば年に一度）新たな内容に更新されることが予定されているものである。
【００４４】
一方、後ほどシステム制御部１６に接続される上記第２ハードディスク記録再生部１３ａ内のハードディスク（以下、当該第２ハードディスク記録再生部１３ａ内の各ハードディスクを纏めて第２ハードディスクと称する。）については、これに何ら情報が記録されていない場合（すなわち、第２ハードディスク内が全て空き領域である場合）と、これに第１ハードディスク内に記録されている地図情報等を更新した更新地図情報等が記録されている場合がある。
【００４５】
次に、操作部１４は各種確認ボタン及び数字キー等の多数のキーを含むリモートコントロール装置等により構成されており、運転者の命令（例えば、車両走行情報表示）を入力するためのものである。
【００４６】
次に、表示部１５は、ハードディスク記録再生部１３から出力される地図情報及びナビゲーション装置Ｓにおける走行案内に必要な各種状態等を表示する。
【００４７】
また、音声案内部１８は、次の交差点における車両の進行方向や走行案内上運転者に直接告知すべき情報（渋滞情報又は通行止め情報等）を含む走行経路案内情報を音声の形態で出力する。
【００４８】
これらの動作と並行して、システム制御部１６は各種入出力ポート（例えば、ＧＰＳ受信ポート、キー入力ポート、表示部制御ポート等）を含み、後述する追加情報の複写処理を含むナビゲーション処理のための全般的な機能を総括的に制御し、図示しない位置演算部から得られた走行情報（車両の位置データ及び速度データ）に基づいて、表示部１５において車両の現在位置を含む周辺地域を示す地図上に上記走行経路案内情報が表示されるように制御すると共に、音声案内部１８から当該走行経路案内情報等が音声として出力されるように制御する。
【００４９】
このとき、上記位置演算部は、速度センサ部１１及び方位角センサ部１７から出力される車両の速度データ及び方位角データに基づいて車両の現在擬似位置を複数個算出すると共に、ＧＰＳ受信部１０から出力される現在位置に対応する上記擬似座標値と上記計算された現在擬似位置のうちの一つとを比較して表示部１５上に表示すべき後述する位置マーク（地図上における車両の現在位置を示す位置マーク）の表示位置を算出し、併せて上記現在擬似位置以外の車両の速度及び車両の進行方向等の走行情報を算出するものであり、システム制御部１６の内部に備えられてもよく、外部に備えられてもよい。
【００５０】
ここで、実施形態のナビゲーション装置Ｓは、上述した加速度センサ部１２を含んでいるため、当該加速度センサ部１２において感知された加速度データを用いることにより、上記位置演算部は道路の傾斜やその高低差を判断しつつ上記車両の現在擬似位置を算出する。
【００５１】
これにより、二次元的位置を感知する上記速度センサ部１１や方位角センサ部１７からの各データを用いるだけでは困難だった立体交差点や一般道路と高架上の高速道路とが平面的には重なっている箇所でも、車両の現在位置を正確に演算することができる。更に、例えば山道や坂道を車両が走行する場合において、上記速度センサ部１１及び方位角センサ部１７からの各データに基づいて現在位置を算出する場合に生じる、実際の車両の走行距離と地図上の移動距離との誤差（すなわち、傾斜しつつ移動した結果としての上記走行距離の方が平面である地図上の移動距離よりも長い場合のその誤差）を、感知した道路の傾斜を用いて補正することも可能となる。
【００５２】
次に、実施形態に係る追加情報の情報複写処理について図２乃至図４を用いて説明する。
【００５３】
なお、図２はシステム制御部１６を中心として実行される当該情報複写処理を示すフローチャートであり、図３及び図４は当該情報複写処理を説明するための模式図である。
【００５４】
実施形態に係る追加情報の複写処理においては、始めに、上記地図情報等が記録された第１ハードディスクを含むハードディスク記録再生部１３がシステム制御部１６に接続されている場合において、当該システム制御部１６に対して第２ハードディスク記録再生部１３ａが正常に接続されたか否かが確認され（ステップＳ１）、正常に接続されていないときは（ステップＳ１；ＮＯ）接続されるまで確認動作を繰り返し、一方、正常に接続されたときは（ステップＳ１；ＹＥＳ）、次に、その接続された第２ハードディスク記録再生部１３ａ内の第２ハードディスクに第１ハードディスクに既に記録されている地図情報等を更新した更新地図情報等が記録されているか否かが判定される（ステップＳ２）。
【００５５】
これにより、当該第２ハードディスクに更新地図情報等が記録されていないことが確認されたときは（ステップＳ２；ＮＯ）、次に、その第２ハードディスク内が全て空き領域であるか否かが判定される（ステップＳ７）。
【００５６】
そして、第２ハードディスク内が全て空き領域であるときは（ステップＳ７；ＹＥＳ）、図３上段に示すように、現在システム制御部１６には、ナビゲーション処理実行のための地図情報ＭＰ及びプログラム情報ＰＧが記録されている第１記録領域に加えて使用者により追加された追加情報ＵＤが記録された第２記録領域を有する第１ハードディスクＤ１を含むハードディスク記録再生部１３と、内部が全て空き領域ＥＰとされている第２ハードディスクＤ２を含む第２ハードディスク記録再生部１３ａと、が並列的に接続されている状態であるので、次に、当該第１ハードディスクＤ１上の追加情報ＵＤのみを第２ハードディスクＤ２上の予め設定された領域に複写し、当該第２ハードディスクＤ２上に追加情報ＵＤと全く同じ内容を有する追加情報ＵＤ’を形成する（ステップＳ８）。このステップＳ８の処理が終了した後は、図３中段に示すように、元の第１ハードディスクＤ１の内容はそのままであるが、第２ハードディスクＤ２上には新たに追加情報ＵＤ’が記録され、当該第２ハードディスクＤ２の残りに領域は空き領域ＥＰ’となることとなる。
【００５７】
なお、ステップＳ７の判定において、第２ハードディスク内が全て空き領域であると判定されないときは（ステップＳ７；ＮＯ）、実施形態の追加情報ＵＤの複写処理は実行できないとしてその旨を表示部１５において表示する等の処理を行って処理を終了する。
【００５８】
そして、第２ハードディスクＤ２上に追加情報ＵＤ’が複写記録されると、次に、元の追加情報ＵＤが記録されている第１ハードディスクＤ１上の第２記録領域から当該追加情報ＵＤを消去して（ステップＳ９）、実施形態の追加情報ＵＤの複写処理を完了する。このステップＳ９の処理が実行された後は、図３下段に示すように追加情報ＵＤが記録されていた第１ハードディスクＤ１上の第２記録領域は空き領域ＥＰ”となって以後他の用途に用いられることとなる。
【００５９】
一方、上記ステップＳ２の判定において、接続された第２ハードディスク記録再生部１３ａ内の第２ハードディスクに上記更新地図情報等が記録されている場合には（ステップＳ２；ＹＥＳ）、図４上段に示すように、現在システム制御部１６には、上記地図情報ＭＰ及びプログラム情報ＰＧ並びに追加情報ＵＤが記録された第１ハードディスクＤ１を含むハードディスク記録再生部１３と、当該地図情報ＭＰ及びプログラム情報ＰＧを夫々更新した情報である更新地図情報ＭＰ’及び更新プログラム情報ＰＧ’が記録されている第３記録領域を有すると共にその残余の領域が第４記録領域としての空き領域ＥＰ’とされている第２ハードディスクＤ２’を含む第２ハードディスク記録再生部１３ａと、が並列的に接続されている状態であるので、次に、ナビゲーション装置Ｓ全体を再起動（初期化）する処理を開始し（ステップＳ３）、その再起動を上記更新地図情報ＭＰ’及び更新プログラム情報ＰＧ’を用いて実行する（ステップＳ４）。
【００６０】
そして、再起動後に、第１ハードディスクＤ１上の追加情報ＵＤのみを第２ハードディスクＤ２’上の空き領域ＥＰ’に複写し、当該空き領域ＥＰ’上に追加情報ＵＤと全く同じ内容を有する追加情報ＵＤ’を形成する（ステップＳ５）。このステップＳ５の処理が終了した後は、図４中段に示すように、元の第１ハードディスクＤ１の内容はそのままであるが、第２ハードディスクＤ２’上には更新地図情報ＭＰ’及び更新プログラム情報ＰＧ’に加えて新たに追加情報ＵＤ’が記録されていることとなる。
【００６１】
そして、第２ハードディスクＤ２’上に追加情報ＵＤ’が複写記録されると、次に、元の追加情報ＵＤが記録されている第１ハードディスクＤ１全体を開放して（すなわち、当該全体を自由に情報の記録再生が可能な領域であると定義し直して）（ステップＳ６）、実施形態の追加情報ＵＤの複写処理を完了する。
【００６２】
このステップＳ６の処理が実行された後は、図４下段に示すように追加情報ＵＤが記録されていた第１ハードディスクＤ１全体が空き領域ＥＰとなって以後他の用途に用いられることとなる。これ以後は、ハードディスク記録再生部１３をシステム制御部１６から取り外しても良いし、或いはそのまま残して他の用途に用いても良い。
【００６３】
なお、上述したステップＳ５又はＳ８における追加情報ＵＤ’の形成処理を開始するタイミングについて具体的には、例えば、第２ハードディスク記録再生部１３ａがシステム制御部１６に接続されたタイミングから即開始しても良いし、或いは、ハードディスク記録再生部１３がシステム制御部１６から取り外される直前に行っても良い。また、使用者が指定したタイミングから開始するように構成しても良いし、更には、空き領域ＥＰ又はＥＰ’の情報量が追加情報ＵＤの情報量に到達する前に実行するように構成することもできる。
【００６４】
また、当該追加情報ＵＤ’の形成処理を開始する直前に、その開始を使用者に認識・確認させるための表示を表示部１５又は音声案内部１８を用いて実行するように構成しても良い。
【００６５】
以上説明したように、実施形態の追加情報ＵＤの更新処理等によれば、第２ハードディスク記録再生部１３ａが接続されたことが検出されたとき、追加情報ＵＤと同一の情報を第２ハードディスクＤ２又はＤ２’上に形成する、すなわち追加情報ＵＤを移し替えるので、現状において地図情報ＭＰ等が記録されている第１ハードディスクＤ１が当該地図情報ＭＰ等の更新のために取り去られて新たなハードディスク記録再生部に交換されたとしても、当該更新以降使用される追加情報ＵＤを失うことなく当該地図情報ＭＰ等を更新することができる。
【００６６】
また、第２ハードディスク記録再生部１３ａが全て空き領域である第２ハードディスクＤ２を含んでいるときは、追加情報ＵＤの全てを完全に移し替えることができる。
【００６７】
更に、第２ハードディスク記録再生部１３ａが更新用の第２ハードディスクＤ２’を含んでいるときは、更新後直ちに用いられる更新地図情報ＭＰ’等が記録されている第２ハードディスクＤ２’に追加情報ＵＤを移し替えることとなるので、当該移し替え後直ちにその更新地図情報ＭＰ’等及び追加情報ＵＤを用いてナビゲーション処理を開始することができる。
【００６８】
なお、上述した実施形態においては記録媒体としてハードディスクを用いた場合について説明したが、これ以外に、書き換え可能な記録媒体であれば、例えば半導体メモリの内容を更新する場合に本発明を適用することもできる。
【００６９】
また、上述した各実施形態においては、地図情報等を用いるナビゲーション装置Ｓに対して本発明を適用した場合について説明したが、これ以外に、例えば複数の楽曲を記憶した書き換え可能な記録媒体を備えた音楽再生装置において、新しい他の楽曲を記録した記録媒体を追加接続してその楽曲を更新する場合に本発明を適用することもできる。
【００７０】
更にまた、図２に示したフローチャートに対応するプログラムを情報記録媒体としてのフレキシブルディスク又はハードディスク等に記録しておき、それをマイクロコンピュータ等の汎用のコンピュータで読み出して実行することで、当該汎用のコンピュータを、上記システム制御部１６として機能させることも可能である。
【００７１】
【発明の効果】
以上説明したように、請求項１に記載の発明によれば、第２記録媒体の接続が検出されたとき、第１記録媒体の追加情報を第４記録領域に記録する、すなわち追加情報を移し替えるので、現状においてナビゲーション機能に必須なプログラムと地図情報とが記録されている第１記録媒体が当該プログラム及び地図情報の更新のために取り去られて新たな記録媒体に交換されたとしても、追加情報を失うことなく当該プログラム及び地図情報を更新することができる。
【００７２】
従って、例えばプログラム及び地図情報の更新後においても、それまでに作成していた追加情報を消失したり或いは新たに作成し直したりすることなく直ちにナビゲーション機能を開始することができる。
【００７３】
請求項２に記載の発明によれば、請求項１に記載の発明の効果に加えて、第２記録媒体は更新プログラム及び更新地図情報が記録された第３記録領域を更に備え、第２記録媒体の接続が検出された場合、記録されている更新プログラム及び更新地図情報と、追加情報と、に基づいてナビゲーション装置を起動させる起動手段を更に備えるので、更新プログラム等を用いたナビゲーション機能を迅速に開始することができる。
【００７４】
請求項３に記載の発明によれば、請求項１又は２に記載の発明の効果に加えて、第１記録媒体の追加情報を第４記録領域に記録する予め設定されたタイミングが、第２記録媒体のナビゲーション装置への接続が検出されたタイミング、第１記録媒体がナビゲーション装置から取り外される直前のタイミング、使用者が指定したタイミング、又は、第２記録領域における空き領域の情報量が追加情報の情報量に到達する前のいずれかのタイミング、のいずれかであるので、多様なタイミングで柔軟且つ確実に追加情報を第４記録領域に移し換えることができる。
【図面の簡単な説明】
【図１】実施形態のナビゲーション装置の概要構成を示すブロック図である。
【図２】実施形態の情報複写処理を示すフローチャートである。
【図３】実施形態における記録態様の変化を示す図（Ｉ）である。
【図４】実施形態における記録態様の変化を示す図（II）である。
【符号の説明】
１０…ＧＰＳ受信部
１１…速度センサ部
１２…加速度センサ部
１３…ハードディスク記録再生部
１３ａ…第２ハードディスク記録再生部
１４…操作部
１５…表示部
１６…システム制御部
１７…方位角センサ部
１８…音声案内部
Ｓ…ナビゲーション装置
ＡＴ…アンテナ
ＭＰ…地図情報
ＭＰ’…更新地図情報
ＰＧ…プログラム情報
ＰＧ’…更新プログラム情報
ＥＰ、ＥＰ’、ＥＰ”…空き領域
ＵＤ、ＵＤ’…追加情報
Ｄ１…第１ハードディスク
Ｄ２、Ｄ２’…第２ハードディスク
【図１】
0004276375.tif 000002
【図２】
0004276375.tif 000003
【図３】
0004276375.tif 000004
【図４】
0004276375.tif 000005